(57)【要約】【課題】簡単に規制部が外れたり破損したりしてその機能が失われることがなく、確実にコネクタを規制することができる構造を有する遊技機を提供する。【解決手段】遊技機１０において、第１コネクタ１２０が固定されたコネクタ固定部材１１０と、第１コネクタに接続されて後端部１３３から配線コード１３１が延出すると共に後端部に被規制部１３４が形成された第２コネクタ１３０と、第２コネクタが接続方向Ｐ１とは逆方向へ移動することを規制する位置に配置されるコネクタ規制部材１４０を備え、コネクタ規制部材は、第１コネクタに接続された第２コネクタの後端部に臨んで配置される壁状部からなる第１規制部１４１と、第１コネクタに接続された第２コネクタの被規制部から接続方向とは逆側に配置される第２規制部１４５とを有し、第２コネクタが接続方向とは逆方向に移動しようとしたときには、第１規制部と第２規制部でその移動を規制する。【選択図】図５
2012070812.tif 000002
【特許請求の範囲】
【請求項１】
第１コネクタが固定されたコネクタ固定部材と、
前記第１コネクタに先端部側から接続され、該先端部と接続方向における逆側の後端部から前記接続方向とは逆方向に配線コードが延出すると共に、当該後端部に被規制部が形成された第２コネクタと、
前記コネクタ固定部材と組み合わされた場合に前記第２コネクタが前記接続方向とは逆方向へ移動することを規制する位置に配置されるコネクタ規制部材と、
を備え、
前記コネクタ規制部材は、
前記第１コネクタに接続された前記第２コネクタの前記後端部に臨んで配置される壁状部からなる第１規制部と、
前記第１コネクタに接続された前記第２コネクタの前記被規制部から前記接続方向とは逆側に配置される第２規制部と、
を有し、
前記コネクタ規制部材と前記コネクタ固定部材とが組み合わされた場合に、
前記第２コネクタが前記接続方向とは逆方向へ移動しようとしたときには、
前記第２コネクタが前記第１コネクタとの接続状態を維持できる範囲内で、前記被規制部と前記第２規制部とが当接して、前記第２コネクタが前記接続方向とは逆方向へ移動することを規制し、
かつ、前記第２コネクタが前記第１コネクタとの接続状態を維持できる範囲内で、前記後端部と前記第１規制部との間に前記配線コードを挟持して、前記第２コネクタが前記接続方向とは逆方向へ移動することを規制することを特徴とする遊技機。
【発明の詳細な説明】
【技術分野】
【０００１】
本発明は遊技機に関し、特に、電気部材等をコネクタを用いて接続する構造を有する遊技機に関するものである。
【背景技術】
【０００２】
従来、パチンコ遊技機等の遊技機においては、基板や電気部材等の接続にコネクタが多く使用されている。このコネクタについては、スペース等の問題でロック機構付のコネクタが使用できない場合や、所謂ゴトと称する不正行為でコネクタを抜く行為を防止する等のために、コネクタが抜けないように押さえる構造を備えたものがある（例えば、特許文献１参照）。
【先行技術文献】
【特許文献】
【０００３】
【特許文献１】特開２００９−５６９号公報
【発明の概要】
【発明が解決しようとする課題】
【０００４】
しかしながら、前記した特許文献１のようなコネクタの押さえ構造を備えた遊技機では、１つの押さえ部材だけでコネクタを押さえている構造であるため、何らかの原因で押さえ部材が外れたり破損したりしてしまうと、押さえていたコネクタが外れてしまう可能性があり、より確実なコネクタの規制構造を備えた遊技機が求められていた。
【０００５】
本発明は、このような事情に鑑みてなされたものであり、簡単に規制部が外れたり破損したりしてその機能が失われることがなく、確実にコネクタを規制することができる構造を有する遊技機を提供することを目的とする。
【課題を解決するための手段】
【０００６】
かかる課題を解決するために、本発明の請求項１に記載の発明は、第１コネクタが固定されたコネクタ固定部材と、前記第１コネクタに先端部側から接続され、該先端部と接続方向における逆側の後端部から前記接続方向とは逆方向に配線コードが延出すると共に、当該後端部に被規制部が形成された第２コネクタと、前記コネクタ固定部材と組み合わされた場合に前記第２コネクタが前記接続方向とは逆方向へ移動することを規制する位置に配置されるコネクタ規制部材と、を備え、前記コネクタ規制部材は、前記第１コネクタに接続された前記第２コネクタの前記後端部に臨んで配置される壁状部からなる第１規制部と、前記第１コネクタに接続された前記第２コネクタの前記被規制部から前記接続方向とは逆側に配置される第２規制部と、を有し、前記コネクタ規制部材と前記コネクタ固定部材とが組み合わされた場合に、前記第２コネクタが前記接続方向とは逆方向へ移動しようとしたときには、前記第２コネクタが前記第１コネクタとの接続状態を維持できる範囲内で、前記被規制部と前記第２規制部とが当接して、前記第２コネクタが前記接続方向とは逆方向へ移動することを規制し、かつ、前記第２コネクタが前記第１コネクタとの接続状態を維持できる範囲内で、前記後端部と前記第１規制部との間に前記配線コードを挟持して、前記第２コネクタが前記接続方向とは逆方向へ移動することを規制する遊技機としたことを特徴とする。
【０００７】
請求項１に係る発明によれば、第１規制部と第２規制部の２つの規制部で第２コネクタが第１コネクタとの接続方向とは逆方向へ移動することを規制するようになっているため、第２規制部が何らかの原因で第２コネクタを規制する位置から外れてしまったり破損してしまったりしてその機能が失われたとしても、第１規制部で引き続きコネクタを接続方向に規制することができ、確実にコネクタを規制することができる構造を有する遊技機とすることができる。
【図面の簡単な説明】
【０００８】
【図１】本発明の実施の形態におけるパチンコ遊技機を表面側からみた斜視図である。
【図２】同パチンコ遊技機を背面側からみた斜視図である。
【図３】同パチンコ遊技機の遊技盤の正面図である。
【図４】同パチンコ遊技機の発光板ユニットの正面図である。
【図５】同パチンコ遊技機の発光板ユニットにおけるコネクタ規制構造の一例を示す図４のＡ−Ａ断面概略拡大図である。
【図６】同パチンコ遊技機の発光板ユニットにおけるコネクタ規制構造の他の例を示す概略拡大図である。
【発明を実施するための形態】
【０００９】
以下、本発明の実施の形態における遊技機について図面を参照しながら説明する。なお、本発明の実施の形態では、遊技機としてパチンコ遊技機を例に説明している。図１は、本発明の実施の形態におけるパチンコ遊技機を表面側からみた斜視図であり、図２は、同パチンコ遊技機を背面側からみた斜視図である。
【００１０】
本発明の実施の形態におけるパチンコ遊技機１０は、図１に示すように、外枠１１、前枠１２、窓枠１３及び当該窓枠１３に覆われた遊技盤３０（後述）などを備えている。また、パチンコ遊技機１０の背面には、図２に示すように、液晶ディスプレイ型の演出表示装置３７（後述）などの表示制御や、可動役物及びＬＥＤなどによる遊技演出の制御を行う表示演出サブ基板２１、各種遊技音の出力制御を行う音サブ基板２２、入賞時におけるパチンコ遊技機１０の動作等を含むパチンコ遊技機１０の主要な動作を制御する主基板２３、パチンコ球（遊技球）の払い出し動作を制御する払出基板２４、各基板等に電源を供給する電源基板２５等の各種基板が例えば透明ケースに収納された状態で取り付けられている。また、それぞれの基板同士、基板と該基板に接続される種々の電気部材との間、電気部材同士等の少なくとも一部は、配線コード（図示省略）で接続されており、その端部にはコネクタ（図示省略）が形成されており、後述する本発明の実施の形態におけるコネクタ規制構造を用いてコネクタを規制する構造となっている。
【００１１】
具体的に、外枠１１は、パチンコホールの台島に設置されており、図１に示すように、前後面が開口するように四角筒状に形成されている。前枠１２は、外枠１１の前端面に左側辺部の垂直な軸を中心に回動可能に装着されている。また、この前枠１２の前面下部には、上面が開口する下皿１４と、上面が開口する上皿１５とが固定されている。
【００１２】
下皿１４の右端周辺にはハンドル台１６が固定されており、ハンドル台１６には発射ハンドル１９が回動自在に装着されている。この発射ハンドル１９の後方には発射モータが固定されており、発射モータの回転軸には打球槌が連結されている。この発射モータは打球槌の駆動源に相当するものであり、発射ハンドル１９が回動操作されたときには発射モータに駆動電源が供給される。その結果、打球槌が駆動して上皿１５内のパチンコ球が弾き出される。
【００１３】
窓枠１３は前枠１２の前面に装着されている。この窓枠１３は前枠１２と一体となって、前記した軸を中心に回動可能となっている。また、この窓枠１３には円形孔状の窓部１７が形成されており、窓部１７の内周面には透明なガラスやアクリル等からなる透明板１７ａが固定されている。この窓枠１３の左上隅部及び右上隅部の裏面には、遊技音を出力するスピーカ１８が固定されている。また、窓枠１３には複数の装飾ＬＥＤが固定されている。
【００１４】
上述の遊技盤３０は、前枠１２の後面に装着されている。以下、この遊技盤３０及び遊技盤３０に備えられる各構成部材について図３及び図４を参照して詳細に説明する。図３は、本発明の実施の形態におけるパチンコ遊技機の遊技盤の正面図であり、図４は、同パチンコ遊技機の発光板ユニットの正面図である。この遊技盤３０は、上述のように前枠１２の後面に装着されており、窓枠１３の透明板１７ａに前方から覆われている。
【００１５】
遊技板３１は、その板面（遊技盤３０の盤面）等に遊技盤３０の有する各構成部材を固定するための板である。ガイドレール３２は、この遊技板３１の表面側に固定されて、この遊技板３１上に、パチンコ球の発射通路３１ａと、パチンコ球が転動する転動領域３１ｃ（後述）を含む遊技領域３１ｂとを区画形成する。遊技盤３０における遊技領域３１ｂのほぼ中央部には、遊技板３１に貫設された開口部３８が形成されている。この開口部３８の周縁には、センター装飾部材４０が形成されている。また、本実施の形態では、開口部３８の下部を覆うように、ステージ５０が形成されている。
【００１６】
また、本実施の形態の遊技板３１は、アクリル等の素材からなる透明又は半透明の部材で構成されており、奥側が透けて見えるように構成されている。また、この遊技板３１の奥側（後側）には、図４に示すように、遊技領域３１ｂの上部の周囲に沿って配設され、遊技領域３１ｂに向けて発光するＬＥＤ等の発光部材（図示省略）を備えた発光板ユニット６０が配置されている。そして、この発光板ユニット６０と前記した表示演出サブ基板２１とがコネクタ１２０，１３０及び配線コード１３１を用いて接続されている。なお、この発光板ユニット６０におけるコネクタの接続構造（コネクタ規制構造）の詳細については、後述する。
【００１７】
また、遊技領域３１ｂにおいては、遊技板３１に形成された開口部３８の周囲の少なくとも一部に、パチンコ球が転動しながら流下する転動領域３１ｃが形成されている。本実施の形態では、ガイドレール３２と開口部３８との間の領域で、開口部３８の上方から左方及び右下方までの領域が転動領域３１ｃとなっている。
【００１８】
また、転動領域３１ｃにおける遊技板３１の板面上には、パチンコ球の流下方向を変化させる複数の遊技釘（障害部材）３９が打ち込まれている。上述の打球槌が弾いたパチンコ球は、発射通路３１ａを通して遊技領域３１ｂ内の転動領域３１ｃに放出される。そして、転動領域３１ｃに放出されたパチンコ球は、遊技釘３９に当たって転動しながら転動領域３１ｃを流下し、最終的に何れかの入賞口又は遊技領域３１ｂの最下方に位置するアウト口３６に入るようになっている。
【００１９】
また、遊技板３１に貫設された開口部３８の後方には、カラー液晶ディスプレイ等を用いた演出表示装置３７が設けられている。この演出表示装置３７は、大当り遊技状態を発生させるか否かの判定結果に基づき変動演出表示を行う広い面積の表示画面３７ａを有しており、当該表示画面３７ａが開口部３８からパチンコ遊技機１０の前方に向けて臨むようになっている。
【００２０】
また、遊技領域３１ｂ内において、演出表示装置３７の下方の転動領域３１ｃには、始動入賞口３３が配置されている。この始動入賞口３３は、パチンコ球が入賞することによって、遊技者に有利な大当り遊技状態を発生させるか否かの判定を行う起点となるものであり、上方に開口するポケット状に形成されており、開閉可能な一対の可動片３３ｘを備えている。始動入賞口３３は、可動片３３ｘが閉塞されているときには開口面積が小さくなってパチンコ球が入賞し難くなり、可動片３３ｘが開放されているときには開口面積が大きくなってパチンコ球が入賞し易くなる。
【００２１】
また、始動入賞口３３の下方には、大入賞口３４が配置されている。この大入賞口３４は図示しないアクチュエータの作動により開閉する開閉扉３４ａを備えており、この開閉扉３４ａは、遊技状態が大当り遊技状態になると開口し、その際には大入賞口３４が上方に向かってポケット状に幅広く開口し、多数のパチンコ球が同時かつ連続的に大入賞口３４に入賞可能となる。
【００２２】
また、遊技領域３１ｂの所定位置（本実施の形態では、開口部３８の周縁に装着されたセンター装飾部材４０の左側方）にはワープ通路９０が設けられており、遊技領域３１ｂにおける転動領域３１ｃの途中（本実施の形態では、開口部３８の周縁に装着されたセンター装飾部材４０の左側方の上部）にワープ通路９０の球入口９１が形成されており、また、遊技領域３１ｂにおけるステージ５０付近（本実施の形態では、開口部３８の周縁に装着されたセンター装飾部材４０の左側方の下部でステージ０５に繋がる位置）にワープ通路９０の球出口９２が形成されている。そして、本実施の形態では、転動領域３１ｃに転動するパチンコ球が、球入口９１からワープ通路９０に入り、当該ワープ通路９０内を通って、球出口９２から放出されることで、パチンコ球がステージ５０に誘導されるようになっている。
【００２３】
また、転動領域３１ｃ内の所定位置には、パチンコ球が入賞可能な一般入賞口３５が上方に開口するポケット状に形成されている（本実施の形態では、遊技領域３１ｂの左下部に複数の一般入賞口３５が形成されている）。
【００２４】
以下、本実施の形態におけるコネクタ規制構造について図４〜図６を参照して詳細に説明する。図５は、本発明の実施の形態におけるパチンコ遊技機の発光板ユニットにおけるコネクタ規制構造の一例を示す図４のＡ−Ａ断面概略拡大図であり、図６は、同パチンコ遊技機の発光板ユニットにおけるコネクタ規制構造の他の例を示す概略拡大図である。
【００２５】
まず、本実施の形態におけるコネクタ規制構造の一例について、図５を参照して説明する。このコネクタ規制構造は、図５に示すように、本発明のコネクタ固定部材としての発光板ユニット基板１１０、第１コネクタ１２０、第２コネクタ１３０、コネクタ規制部材１４０の各部材を備えた構造となっている。
【００２６】
発光板ユニット基板１１０は、遊技領域３１ｂに向けて発光するＬＥＤ等の発光部材（図示省略）が配設された基板である。また、この発光板ユニット基板１１０の基板上の一部には、表示演出サブ基板２１からの配線コード１３１の端部に取り付けられた第２コネクタ１３０を接続するための第１コネクタ１２０が固定されている。この第１コネクタ１２０は、図４に示すように、発光板ユニット基板１１０の外側面（本実施の形態では、図４における右側の外側面）付近に固定されており、また、図５に示すように、第２コネクタ１３０を発光板ユニット基板１１０に対する略平行方向となる接続方向Ｐ１に挿入するように挿入口１２１が横向きに取り付けられており、特にここでは、図４における右側の外側面に挿入口１２１が向くように配設されている。
【００２７】
また、発光板ユニット基板１１０は、コネクタ規制部材１４０と組み合わされるように構成されたものであり、発光板ユニット基板１１０とコネクタ規制部材１４０が組み合わされた場合に、第２コネクタ１３０が接続方向Ｐ１とは逆方向へ移動することを規制する位置に配置されるようになっている。本実施の形態の発光板ユニット基板１１０は、当該発光板ユニット基板１１０を配置する基材６１Ａを兼ねたコネクタ規制部材１４０に組み付けて、図示しないネジでネジ止めして双方が固定されるようになっている。
【００２８】
第２コネクタ１３０は、その先端部１３２側から前記した第１コネクタ１２０に横向きとなる接続方向Ｐ１に挿入して接続されるようになっており、具体的には、第１コネクタ１２０の図４における右側に設けられた挿入口１２１に対し、その右側から第２コネクタ１３０の先端部１３２が挿入されるようになっている。また、第２コネクタ１３０の先端部１３２と接続方向Ｐ１における逆側の後端部１３３からは、接続方向Ｐ１とは逆方向に配線コード１３１が延出しており、この配線コード１３１が前記した表示演出サブ基板２１に接続されるようになっている。また、第２コネクタ１３０の後端部１３３には、後述するコネクタ規制部材１４０の第２規制部１４５で接続方向Ｐ１とは逆方向へ移動することを規制する被規制部１３４が形成されている。本実施の形態の被規制部１３４は、押圧可能な強度に形成された第２コネクタ１３０のプラスチック部分である。
【００２９】
コネクタ規制部材１４０は、発光板ユニット基板１１０と組み合わされると共に、当該発光板ユニット基板１１０と組み合わされた場合に第２コネクタ１３０が接続方向Ｐ１とは逆方向へ移動することを規制する位置に配置されるものである。本実施の形態では、第２コネクタ１３０及び配線コード１３１に当接して、第２コネクタ１３０を図４における右側から横向き（左向き）に押さえるように構成されている。このコネクタ規制部材１４０は、第１規制部１４１と第２規制部１４５の２つの規制部を有している。また、本実施の形態では、コネクタ規制部材１４０は、発光板ユニット６０の発光板ユニット基板１１０を配置する基材６１Ａの一部がその機能を兼ねるように構成されている。
【００３０】
第１規制部１４１は、第１コネクタ１２０に接続された第２コネクタ１３０の後端部１３３に臨んで配置される壁状部からなるものであり、本実施の形態では、第１コネクタ１２０に対する第２コネクタ１３０の接続方向Ｐ１と逆方向における配線コード１３１の延出先（図５における右方向）に位置して、基材６１Ａから突出した壁状の部位となっており、さらに詳述すると、第１コネクタ１２０に対する第２コネクタ１３０の接続方向Ｐ１と直交する方向（図４における上下方向）に形成された立壁状の直交面からなっている。
【００３１】
そして、コネクタ規制部材１４０と発光板ユニット基板１１０とが組み合わされた場合に、第２コネクタ１３０が接続方向Ｐ１とは逆方向へ移動しようとしたときには、第２コネクタ１３０が第１コネクタ１２０との接続状態を維持できる範囲内で、後端部１３３と第１規制部１４１との間に配線コード１３１を挟持して、第２コネクタ１３０が接続方向Ｐ１とは逆方向へ移動することを規制するようになっている。本実施の形態では、コネクタ規制部材１４０と発光板ユニット基板１１０とが組み合わされた場合に、直交面からなる第１規制部１４１に、第２コネクタ１３０の後端部１３３から延出した配線コード１３１が当接して曲がるようになっており、さらに詳述すると、略直角に曲がるようになっている。
【００３２】
また、本実施の形態では、第１規制部１４１を壁面、発光板ユニット基板１１０を底面として、配線コード１３１の収容空間Ｑ１を構成しており、この第１規制部１４１を含んで構成される収容空間Ｑ１内に、第１規制部１４１に当接して略直角に曲がった状態の配線コード１３１が収容されて所定位置に誘導されるようになっている。これと共に、第１規制部１４１に当接して曲がった状態の配線コード１３１を介して、第１規制部１４１で第２コネクタ１３０を、第１コネクタ１２０に対する第２コネクタ１３０の接続方向Ｐ１に向けて押さえるようになっている。
【００３３】
第２規制部１４５は、第１コネクタ１２０に接続された第２コネクタ１３０の被規制部１３４から接続方向Ｐ１とは逆側に配置されるものであり、本実施の形態では、第１規制部１４１から第２コネクタ１３０の接続方向Ｐ１に向けて突出形成された部材であり、さらに詳述すると、第１規制部１４１の端部（ここでは図５における上端部）から、当該第１規制部１４１に対して第２コネクタ１３０の接続方向Ｐ１に向けて略直角（本実施の形態では図５における左方向）に突出形成された部材である。また、本実施の形態では、第１規制部１４１と同一部材で一体に形成されている。
【００３４】
また、第２規制部１４５は、コネクタ規制部材１４０と発光板ユニット基板１１０とが組み合わされた場合に、第２コネクタ１３０が接続方向Ｐ１とは逆方向へ移動しようとしたときには、第２コネクタ１３０が第１コネクタ１２０との接続状態を維持できる範囲内で、被規制部１３４と第２規制部１４５とが当接して、第２コネクタ１３０が接続方向Ｐ１とは逆方向へ移動することを規制するようになっている。本実施の形態では、コネクタ規制部材１４０と発光板ユニット基板１１０とが組み合わされた場合に、第２コネクタ１３０の後端部１３３に形成された被規制部１３４を接続方向Ｐ１に向けて規制するようになっており、さらに詳述すると、その先端１４６で第２コネクタ１３０の後端部１３３の被規制部１３４に当接して、当該被規制部１３４を、第１コネクタ１２０に対する第２コネクタ１３０の接続方向Ｐ１に向けて押さえるようになっている。
【００３５】
そして、組み付け後にこのような構成のコネクタ規制構造を有することとなる発光板ユニット基板１１０、第１コネクタ１２０、第２コネクタ１３０、コネクタ規制部材１４０の各部材の組み付け手順としては、まず、発光板ユニット基板１１０に固定された第１コネクタ１２０に、第２コネクタ１３０の先端部１３２を接続させる。次に、第２コネクタ１３０の後端部１３３側をコネクタ規制部材１４０の第１規制部１４１の方向に向けた上で、コネクタ規制部材１４０に発光板ユニット基板１１０を組み付ける。これにより、コネクタ規制部材１４０の第１規制部１４１及び第２規制部１４５と、配線コード１３１及び第２コネクタ１３０の被規制部１３４が、第２コネクタ１３０を規制する所定位置に配置されるようになり、簡単に第１コネクタ１２０から第２コネクタ１３０が外れないように規制したコネクタ規制構造とすることができる。
【００３６】
次に、本実施の形態におけるコネクタ規制構造の他の例について、図６を参照して説明する。このコネクタ規制構造は、図６に示すように、本発明のコネクタ固定部材としての発光板ユニット基板２１０、第１コネクタ２２０、第２コネクタ２３０、コネクタ規制部材２４０の各部材を備えた構造となっている。
【００３７】
なお、前記した例が、第１コネクタ１２０に対して横向きに第２コネクタ１３０を挿入するものであり、これが抜けないように規制するために、横向きに力が掛かるようにコネクタ規制部材１４０を配置したのに対し、この例は、第１コネクタ２２０に対して縦向き（下向き）に第２コネクタ２３０を挿入するものであり、これが抜けないように規制するために、縦向き（下向き）に力が掛かるようにコネクタ規制部材２４０を配置したものである。以下、詳述する。
【００３８】
この例の発光板ユニット基板２１０は、遊技領域３１ｂに向けて発光するＬＥＤ等の発光部材（図示省略）が配設された基板である。また、この発光板ユニット基板２１０の基板上の一部には、表示演出サブ基板２１からの配線コード２３１の端部に取り付けられた第２コネクタ２３０を接続するための第１コネクタ２２０が固定されている。この第１コネクタ２２０は、発光板ユニット基板２１０の外側面付近に固定されており、また、図６に示すように、第２コネクタ２３０を発光板ユニット基板２１０に対する略垂直下向き方向となる接続方向Ｐ２に挿入するように挿入口２２１が上向きに取り付けられている。
【００３９】
また、発光板ユニット基板２１０は、コネクタ規制部材２４０と組み合わされるように構成されたものであり、発光板ユニット基板２１０とコネクタ規制部材２４０が組み合わされた場合に、第２コネクタ２３０が接続方向Ｐ２とは逆方向へ移動することを規制する位置に配置されるようになっている。この例の発光板ユニット基板２１０は、当該発光板ユニット基板２１０を配置する基材６１Ｂを兼ねたコネクタ規制部材２４０に組み付けて、図示しないネジでネジ止めして双方が固定されるようになっている。
【００４０】
第２コネクタ２３０は、その先端部２３２側から前記した第１コネクタ２２０に縦向き（下向き）となる接続方向Ｐ２に挿入して接続されるようになっており、具体的には、第１コネクタ２２０の図６における上側に設けられた挿入口２２１に対し、その上側から第２コネクタ２３０の先端部２３２が挿入されるようになっている。また、第２コネクタ２３０の先端部２３２と接続方向Ｐ２における逆側の後端部２３３からは、接続方向Ｐ２とは逆方向に配線コード２３１が延出しており、この配線コード２３１が前記した表示演出サブ基板２１に接続されるようになっている。また、第２コネクタ２３０の後端部２３３には、後述するコネクタ規制部材２４０の第２規制部２４５で接続方向Ｐ２とは逆方向へ移動することを規制する被規制部２３４が形成されている。この例の被規制部２３４は、前記した例と同様、押圧可能な強度に形成された第２コネクタ２３０のプラスチック部分である。
【００４１】
コネクタ規制部材２４０は、発光板ユニット基板２１０と組み合わされると共に、当該発光板ユニット基板１１０と組み合わされた場合に第２コネクタ２３０が接続方向Ｐ２とは逆方向へ移動することを規制する位置に配置されるものである。この例では、第２コネクタ２３０及び配線コード２３１に当接して、第２コネクタ２３０を図６における上側から縦向き（下向き）に押さえるように構成されている。このコネクタ規制部材２４０は、第１規制部２４１と第２規制部２４５の２つの規制部を有している。また、この例では、コネクタ規制部材２４０は、発光板ユニット６０の発光板ユニット基板２１０を配置する基材６１Ｂの一部がその機能を兼ねるように構成されている。
【００４２】
第１規制部２４１は、第１コネクタ２２０に接続された第２コネクタ２３０の後端部２３３に臨んで配置される壁状部からなるものであり、この例では、第１コネクタ２２０に対する第２コネクタ２３０の接続方向Ｐ２と逆方向における配線コード２３１の延出先（図６における上方向）に位置して、基材６１Ｂから突出した立壁部２５０からさらに第１コネクタ２２０が配置されている側に向けて略直角（この例では図６における左方向）に突出した平板壁状の部位となっており、さらに詳述すると、第１コネクタ２２０に対する第２コネクタ２３０の接続方向Ｐ２と直交する方向（図６における左右方向）に形成された平板状の直交面からなっている。
【００４３】
そして、コネクタ規制部材２４０と発光板ユニット基板２１０とが組み合わされた場合に、第２コネクタ２３０が接続方向Ｐ２とは逆方向へ移動しようとしたときには、第２コネクタ２３０が第１コネクタ２２０との接続状態を維持できる範囲内で、後端部２３３と第１規制部２４１との間に配線コード２３１を挟持して、第２コネクタ２３０が接続方向Ｐ２とは逆方向へ移動することを規制するようになっている。この例では、コネクタ規制部材２４０と発光板ユニット基板２１０とが組み合わされた場合に、直交面からなる第１規制部２４１に、第２コネクタ２３０の後端部２３３から延出した配線コード２３１が当接して曲がるようになっており、さらに詳述すると、略直角に曲がるようになっている。
【００４４】
また、この例では、第１規制部２４１を天井面、第２規制部２４５と立壁部２５０を壁面、発光板ユニット基板２１０を底面として、配線コード１３１の収容空間Ｑ２を構成しており、この第１規制部２４１を含んで構成される収容空間Ｑ２内に、第１規制部２４１に当接して略直角に２回曲がった状態の配線コード２３１が収容されて所定位置に誘導されるようになっている。これと共に、第１規制部２４１に当接して曲がった状態の配線コード２３１を介して、第１規制部２４１で第２コネクタ２３０を、第１コネクタ２２０に対する第２コネクタ２３０の接続方向Ｐ２に向けて押さえるようになっている。
【００４５】
第２規制部２４５は、第１コネクタ２２０に接続された第２コネクタ２３０の被規制部２３４から接続方向Ｐ２とは逆側に配置されるものであり、この例では、第１規制部２４１から第２コネクタ２３０の接続方向Ｐ２に向けて突出形成された部材であり、さらに詳述すると、第１規制部２４１の端部（ここでは図６における左端部）から、当該第１規制部２４１に対して第２コネクタ１３０の接続方向Ｐ２に向けて略直角（この例では図６における下方向）に突出形成された部材である。また、この例では、第１規制部２４１と同一部材で一体に形成されている。
【００４６】
また、第２規制部２４５は、コネクタ規制部材２４０と発光板ユニット基板２１０とが組み合わされた場合に、第２コネクタ２３０が接続方向Ｐ２とは逆方向へ移動しようとしたときには、第２コネクタ２３０が第１コネクタ２２０との接続状態を維持できる範囲内で、被規制部２３４と第２規制部２４５とが当接して、第２コネクタ２３０が接続方向Ｐ２とは逆方向へ移動することを規制するようになっている。この例では、コネクタ規制部材２４０と発光板ユニット基板２１０とが組み合わされた場合に、第２コネクタ２３０の後端部２３３に形成された被規制部２３４を接続方向Ｐ２に向けて規制するようになっており、さらに詳述すると、その先端２４６で第２コネクタ２３０の後端部２３３の被規制部２３４に当接して、当該被規制部２３４を、第１コネクタ２２０に対する第２コネクタ２３０の接続方向Ｐ２に向けて押さえるようになっている。
【００４７】
そして、組み付け後にこのような構成のコネクタ規制構造を有することとなる発光板ユニット基板２１０、第１コネクタ２２０、第２コネクタ２３０、コネクタ規制部材２４０の各部材の組み付け手順としては、まず、発光板ユニット基板２１０に固定された第１コネクタ２２０に、第２コネクタ２３０の先端部２３２を接続させる。次に、第２コネクタ２３０の後端部２３３側をコネクタ規制部材２４０の第１規制部２４１の方向に向けた上で、コネクタ規制部材２４０に発光板ユニット基板２１０を組み付ける。これにより、コネクタ規制部材２４０の第１規制部２４１及び第２規制部２４５と、配線コード２３１及び第２コネクタ２３０の被規制部２３４が、第２コネクタ２３０を規制する所定位置に配置されるようになり、簡単に第１コネクタ２２０から第２コネクタ２３０が外れないように規制したコネクタ規制構造とすることができる。
【００４８】
以上のように、本実施の形態のパチンコ遊技機（遊技機）１０は、第１コネクタ１２０，２２０が固定された発光板ユニット基板（コネクタ固定部材）１１０，２１０と、前記第１コネクタ１２０，２２０に先端部１３２，２３２側から接続され、該先端部１３２，２３２と接続方向Ｐ１，Ｐ２における逆側の後端部１３３，２３３から前記接続方向Ｐ１，Ｐ２とは逆方向に配線コード１３１，２３１が延出すると共に、当該後端部１３３，２３３に被規制部１３４，２３４が形成された第２コネクタ１３０，２３０と、前記発光板ユニット基板（コネクタ固定部材）１１０，２１０と組み合わされた場合に前記第２コネクタ１３０，２３０が前記接続方向Ｐ１，Ｐ２とは逆方向へ移動することを規制する位置に配置されるコネクタ規制部材１４０，２４０と、を備え、前記コネクタ規制部材１４０，２４０は、前記第１コネクタ１２０，２２０に接続された前記第２コネクタ１３０，２３０の前記後端部１３３，２３３に臨んで配置される壁状部からなる第１規制部１４１，２４１と、前記第１コネクタ１２０，２２０に接続された前記第２コネクタ１３０，２３０の前記被規制部１３４，２３４から前記接続方向Ｐ１，Ｐ２とは逆側に配置される第２規制部１４５，２４５と、を有し、前記コネクタ規制部材１４０，２４０と前記発光板ユニット基板（コネクタ固定部材）１１０，２１０とが組み合わされた場合に、前記第２コネクタ１３０，２３０が前記接続方向Ｐ１，Ｐ２とは逆方向へ移動しようとしたときには、前記第２コネクタ１３０，２３０が前記第１コネクタ１２０，２２０との接続状態を維持できる範囲内で、前記被規制部１３４，２３４と前記第２規制部１４５，２４５とが当接して、前記第２コネクタ１３０，２３０が前記接続方向Ｐ１，Ｐ２とは逆方向へ移動することを規制し、かつ、前記第２コネクタ１３０，２３０が前記第１コネクタ１２０，２２０との接続状態を維持できる範囲内で、前記後端部１３３，２３３と前記第１規制部１４１，２４１との間に前記配線コード１３１，２３１を挟持して、前記第２コネクタ１３０，２３０が前記接続方向Ｐ１，Ｐ２とは逆方向へ移動することを規制するパチンコ遊技機（遊技機）１０としたことを特徴とする。
【００４９】
そして、本実施の形態のパチンコ遊技機（遊技機）１０によれば、第１コネクタ１２０，２２０と第２コネクタ１３０，２３０の接続状態を維持するように規制するコネクタ規制構造において、第１規制部１４１，２４１と第２規制部１４５，２４５の２つの規制部で第２コネクタ１３０，２３０が第１コネクタ１２０，２２０との接続方向Ｐ１，Ｐ２とは逆方向へ移動することを規制するようになっているため、第２規制部１４５，２４５が何らかの原因で第２コネクタ１３０，２３０を規制する位置から外れてしまったり破損してしまったりしてその機能が失われたとしても、第１規制部１４１，２４１で引き続きコネクタを接続方向Ｐ１，Ｐ２に規制することができ、確実に第２コネクタ（コネクタ）１３０，２３０を規制することができる構造を有するパチンコ遊技機（遊技機）１０とすることができる。
【００５０】
また、第２規制部１４５，２４５の存在により、曲がった状態の配線コード１３１，２３１を規制するようになっているため、配線コード１３１，２３１の浮き上がりも防止することができる。また、第１規制部１４１，２４１は面（直交面）で配線コード１３１，２３１を規制するようになっているため、配線コード１３１，２３１を傷付けないように規制することができる。
【００５１】
また、面で規制する第１規制部１４１，２４１と突出形成された部位で規制する第２規制部１４５，２４５の双方で第２コネクタ１３０，２３０を接続方向Ｐ１，Ｐ２に規制する構成であるため、突出形成された細い部位だけでなく面でも規制する構成となっており、細い部位だけで規制する構成と比較して、規制部の取付け精度が緩和され、第２コネクタ（コネクタ）１３０，２３０を規制し易い状態にすることができる。
【００５２】
なお、以上説明した実施の形態は、本発明の理解を容易にするために記載されたものであって、本発明を限定するために記載されたものではない。
【００５３】
例えば、前記した実施の形態では、遊技機としてパチンコ遊技機を挙げて説明したが、本発明はこれに限るものではなく、パチスロ、アレンジボール等の他の遊技機にも適用可能である。
【００５４】
また、前記した実施の形態では、発光板ユニット基板１１０，２１０に固定された第１コネクタ１２０，２２０と、この第１コネクタ１２０，２２０と接続する第２コネクタ１３０，２３０との間において、本発明のコネクタ規制構造を用いたが、本発明はこれに限るものではなく、遊技機内の他の基板上のコネクタ接続部分、基板以外の電気部材（例えばセンサ等）のコネクタ接続部分等にも、本発明のコネクタ規制構造を適用することは可能である。
【００５５】
また、前記した実施の形態の第１規制部１４１，２４１は、配線コード１３１，２３１に常に当接して、当該配線コード１３１，２３１を介して第２コネクタ１３０，２３０を接続方向Ｐ１，Ｐ２に向けて押さえるようになっており、また、前記した実施の形態の第２規制部１４５，２４５は、第２コネクタ１３０，２３０の後端部１３３，２３３に常に当接して、第２コネクタ１３０，２３０を接続方向Ｐ１，Ｐ２に向けて押さえるようになっていたが、本発明はこれに限るものではない。例えば、第１規制部１４１，２４１や第２規制部１４５，２４５が、配線コード１３１，２３１や第２コネクタ１３０，２３０の後端部１３３，２３３から少しだけ離れた位置に配置されるように形成されていて、第２コネクタ１３０，２３０が第１コネクタ１２０，２２０から外れかけたらそれを押さえて外れを防止するように（すなわち第２コネクタ１３０，２３０の抜けを防ぐように）規制する構成となっていても良い。
【００５６】
また、前記した実施の形態の第２規制部１４５，２４５は、第１規制部１４１，２４１の上端部や左端部等の端部から突出形成されているが、第２コネクタ１３０，２３０の被規制部１３４，２３４の箇所に応じて、端部以外の箇所から突出形成されていても良い。また、第２規制部は、その機能を有していれば、第１規制部以外の箇所に形成されていても良い。
【００５７】
さらに、前記した実施の形態の第２規制部１４５，２４５は、第１規制部１４１，２４１から第２規制部１４５，２４５の接続方向Ｐ１，Ｐ２に真っ直ぐ突出するように形成されていたが、第２規制部１４５，２４５は、第１規制部１４１，２４１から湾曲形状で突出したり屈曲して突出したりしていても良い。
【００５８】
またさらに、前記した実施の形態の第２規制部１４５，２４５は、その細い先端１４６，２４６で第２コネクタ１３０，２３０の後端部１３３，２３３の被規制部１３４，２３４を押さえるようになっていたが、第１規制部１４１，２４１から接続方向Ｐ１，Ｐ２に突出した部材からさらに突出したフランジ状部で第２コネクタ１３０，２３０の被規制部１３４，２３４を押さえる等、先端以外に被規制部１３４，２３４を押さえる箇所が形成されていても良い。
【符号の説明】
【００５９】
１０…パチンコ遊技機（遊技機）、１１０，２１０…発光板ユニット基板（コネクタ固定部材）、１２０，２２０…第１コネクタ、１３０，２３０…第２コネクタ、１３１，２３１…配線コード、１３２，２３２…先端部、１３３，２３３…後端部、１３４，２３４…被規制部、１４０，２４０…コネクタ規制部材、１４１，２４１…第１規制部、１４５，２４５…第２規制部、Ｑ１，Ｑ２…収容空間
【図１】
2012070812.tif 000003
【図２】
2012070812.tif 000004
【図３】
2012070812.tif 000005
【図４】
2012070812.tif 000006
【図５】
2012070812.tif 000007
【図６】
2012070812.tif 000008